(57)【要約】【課題】ディスプレイ装置に適用されるカーソル移動方法を提供する。【解決手段】カーソルの移動及び目標の選択は、ユーザによりリモートコントローラ上のアラビア数字ボタンを押下することによって達成され、これにより、簡単かつ直接的な操作がもたらされる。本発明の方法は、第１の制御コマンドに応答してディスプレイ装置に複数の第１部分領域を表示することと、第２の制御コマンドに応答して上記複数の第１部分領域のうちの１つを選択することと、上記選択された第１部分領域にカーソルを移動させることとを含む。【選択図】図１
2012014516.tif 000002
【特許請求の範囲】
【請求項１】
ディスプレイ装置においてカーソルを移動させる方法であって、
第１の制御コマンドに応答して上記ディスプレイ装置の画面上に複数の第１階層部分領域を表示することと、
第２の制御コマンドに応答して上記複数の第１階層部分領域のうちの１つを選択することと、
上記カーソルを上記選択された第１階層部分領域に移動させることとを含む方法。
【請求項２】
上記選択された第１階層部分領域を複数の第２階層部分領域に分割することをさらに含む請求項１記載の方法。
【請求項３】
上記第１階層部分領域及び上記第２階層部分領域は、上記ディスプレイ装置のオンスクリーンディスプレイ（ＯＳＤ）モジュールによって生成される請求項２記載の方法。
【請求項４】
複数の第１の参照シンボルをそれぞれ上記複数の第１階層部分領域の内部に表示することをさらに含む請求項１記載の方法。
【請求項５】
上記第１の制御コマンド及び上記第２の制御コマンドは、上記ディスプレイ装置のリモートコントローラから受信される請求項４記載の方法。
【請求項６】
上記複数の第１の参照シンボルは、上記リモートコントローラ上の複数のボタンにそれぞれ対応する請求項５記載の方法。
【請求項７】
複数の第２の参照シンボルをそれぞれ上記複数の第２階層部分領域の内部に表示することをさらに含む請求項２記載の方法。
【請求項８】
上記第１の制御コマンドに応答して上記ディスプレイ装置の画面上に上記複数の第１階層部分領域を表示するステップは、
上記画面上に複数のグリッド線を表示して上記複数の第１階層部分領域を生成することを含む請求項１記載の方法。
【請求項９】
上記ディスプレイ装置は、外部ホストから、第１の解像度を有する画像信号を受信し、上記ディスプレイ装置は、第２の解像度を有する上記画面上に、上記画像信号を表示し、
上記方法は、上記第１の解像度及び上記第２の解像度に従って、上記選択された第１階層部分領域の第１の座標に基づいて座標変換を行うことによって第２の座標を生成することをさらに含む請求項１記載の方法。
【請求項１０】
上記第２の座標を上記外部ホストに送信することと、
上記第２の座標に従って上記カーソルを移動させることとをさらに含む請求項９記載の方法。
【請求項１１】
ディスプレイ装置であって、上記ディスプレイ装置は、
画面と、
リモートコントローラから第１の制御コマンド及び第２の制御コマンドを受信するコマンド受信モジュールと、
オンスクリーンディスプレイ（ＯＳＤ）モジュールと、
上記コマンド受信モジュールによって受信された制御コマンドに従って上記ＯＳＤモジュールを制御する処理モジュールとを備え、
上記処理モジュールは、上記第１の制御コマンドに応答して上記ディスプレイ装置の上記画面上に複数の第１階層部分領域を表示するように上記ＯＳＤモジュールを制御し、
上記処理モジュールは、上記第２の制御コマンドに応答して、上記複数の第１階層部分領域のうちの１つを選択し、上記選択された第１階層部分領域にカーソルを移動させるディスプレイ装置。
【請求項１２】
上記ＯＳＤモジュールは、上記選択された第１階層部分領域の内部に複数の第２階層部分領域を表示する請求項１１記載のディスプレイ装置。
【請求項１３】
上記ＯＳＤモジュールは、上記画面上に複数のグリッド線を表示して音楽再生時間データの複数の第１階層部分領域を生成する請求項１１記載のディスプレイ装置。
【請求項１４】
上記ＯＳＤモジュールは、複数の参照シンボルをそれぞれ上記複数の第１階層部分領域の内部にさらに表示する請求項１１記載のディスプレイ装置。
【請求項１５】
上記複数の参照シンボルは、上記リモートコントローラ上の複数のボタンにそれぞれ対応する請求項１４記載のディスプレイ装置。
【請求項１６】
上記処理モジュールからの移動制御信号に従ってカーソル移動イベントを生成するイベント生成モジュールと、
上記カーソル移動イベントを外部ホストに出力する入力／出力（Ｉ／Ｏ）インターフェースとをさらに備えた請求項１１記載のディスプレイ装置。
【請求項１７】
上記ディスプレイ装置は、外部ホストから、第１の解像度を有する画像信号を受信し、
上記ディスプレイ装置は、第２の解像度を有する上記画面上に、上記画像信号を表示し、
上記イベント生成モジュールは、上記カーソル移動イベントにおいて、上記第１の解像度及び上記第２の解像度に従って座標変換を実行する請求項１６記載のディスプレイ装置。
【請求項１８】
上記外部ホストは、上記カーソル移動イベントに従って上記カーソルを移動させる請求項１７記載のディスプレイ装置。
【発明の詳細な説明】
【技術分野】
【０００１】
本発明は、カーソル移動方法及びそれを用いたディスプレイ装置に関し、特に、リモートコントローラによりカーソルを移動させてヒットさせる方法及びそれを用いたディスプレイ装置に関する。
【背景技術】
【０００２】
本願は、２００９年４月１日に出願された台湾特許出願第９８１１０９１７号に基づく。
【０００３】
現代の生活では、インターネットが世界中の人々をつなげている。パーソナルコンピュータや携帯電話機など、スクリーンを備えたますます多くの電子装置が現れ、これらの電子装置の大部分が、ユーザによるウェブページ閲覧を可能にするために、インターネットに接続する能力を有している。さらに、テレビジョンを用いてインターネットに接続することも、流行っているように思われる。
【発明の概要】
【発明が解決しようとする課題】
【０００４】
パーソナルコンピュータを用いてインターネットに接続するとき、便利なことには、マウスを用いてカーソルを制御することができる。しかしながら、従来、テレビジョンを用いてインターネットに接続するときにカーソルをどのように制御したらよいかという問題点があった。テレビジョンの画面は比較的大きく、ユーザは、マウスを用いてカーソルを制御するときにマウスケーブルの長さの範囲内にいるように制限され、よって、ユーザはテレビジョンのとても近くに座らなければならない可能性があり、このためユーザの目が疲れることになる。この問題は無線マウスによって確実に解決できるが、この場合、無線マウスを余分に購入する必要がある。さらに、長年の習慣によれば、ユーザはなお、テレビジョンを制御するためにリモートコントローラを用いることに慣れている。
【０００５】
従って、テレビジョンを用いてインターネットに接続するとき、リモートコントローラによってカーソル移動及び対象物選択を制御する方法に関する重要な問題がある。
【課題を解決するための手段】
【０００６】
本発明は、カーソル移動方法及びそれを用いたディスプレイ装置に関し、これにより、ユーザは、対応するアラビア数字のボタンを押下することでカーソルを移動させて対象物を選択することができ、さらに、便利で直観的な操作方法をユーザに提供する。
【０００７】
本発明の一実施形態によれば、ディスプレイ装置に適用されたカーソル移動方法が提供される。本方法は、
第１の制御コマンドに応答してディスプレイ装置の画面上に複数の第１階層部分領域を表示することと、
第２の制御コマンドに応答して上記複数の第１階層部分領域のうちの１つを選択することと、
上記選択された第１階層部分領域にカーソルを移動させることとを含む。
【０００８】
本発明の他の実施形態によれば、ディスプレイ装置が開示される。本ディスプレイ装置は、
リモートコントローラから第１の制御コマンド及び第２の制御コマンドを受信するコマンド受信モジュールと、
オンスクリーンディスプレイ（ＯＳＤ）モジュールと、
上記コマンド受信モジュールによって受信された上記制御コマンドに従って上記ＯＳＤモジュールを制御する処理モジュールとを備え、
上記処理モジュールは、上記第１の制御コマンドに応答して、上記ディスプレイ装置の画面上に複数の第１階層部分領域を表示するように上記ＯＳＤモジュールを制御し、
上記処理モジュールは、上記第２の制御コマンドに応答して、上記複数の第１階層部分領域のうちの１つを選択し、上記選択された第１階層部分領域にカーソルを移動させる。
【図面の簡単な説明】
【０００９】
【図１】本発明の第１の実施形態に係るディスプレイ装置の機能ブロック図である。
【図２】本発明の第１の実施形態に係るカーソル制御方法を説明するフローチャートである。
【図３】本発明の第１の実施形態に係る動作概略図である。
【図４】本発明の第１の実施形態に係る動作概略図である。
【図５】本発明の第１の実施形態に係る動作概略図である。
【図６】本発明の第１の実施形態に係る動作概略図である。
【図７】本発明の第２の実施形態に係るディスプレイ装置の機能ブロック図である。
【発明を実施するための形態】
【００１０】
当業者であれば、以下の詳細な説明及び添付の図面を参照することにより、本発明を容易に理解できるようになるであろう。
【００１１】
本発明の実施形態によれば、ユーザは、リモートコントローラを用いて、カーソルの動きを制御し、対象物を選択することができる。また、画面上の画像は、ユーザの制御コマンドに対応する複数の部分領域にさらに分割可能である。よって、ユーザは、カーソルを１つの部分領域に移動させるために、リモートコントローラを用いてその部分領域を選択することができる。本発明の一実施形態において、ディスプレイ装置はインターネットに接続することができる。このことは、ディスプレイ装置が外部ホストに接続する必要がなく、なお、インターネットに接続できるということを意味する。本発明の他の実施形態において、ディスプレイ装置は、インターネットに接続するために外部ホストに接続する必要がある。これらの実施形態について以下に説明する。
【００１２】
以下、ディスプレイ装置がインターネットに接続する能力を有する本発明の第１の実施形態について議論する。図１は、本発明の第１の実施形態の機能ブロック図を示す。本発明の第１の実施形態において、テレビジョンなどのディスプレイ装置１００は、インターネットに接続することができる。
【００１３】
図１に示すように、ディスプレイ装置１００は、コマンド受信モジュール１１０、処理モジュール１２０、オンスクリーンディスプレイ（ＯＳＤ）モジュール１３０、画面１４０、及びネットワークモジュール１５０を備える。
【００１４】
コマンド受信モジュール１１０は、ディスプレイ装置１００のリモートコントローラ（図示せず。）から制御コマンドＵＣを受信し、この制御コマンドＵＣは、リモートコントローラ上のボタンを押下することで生成される。
【００１５】
ＯＳＤモジュール１３０は、制御メニュー画像の生成などのために、画面１４０上に画像を生成する。制御メニュー画像は、ディスプレイ装置１００によって受信された画像信号に付加され、これによって画面１４０上に制御メニュー画像と受信された画像信号との両方を表示することができる。
【００１６】
処理モジュール１２０は、コマンド受信モジュール１１０及びＯＳＤモジュール１３０に接続され、コマンド受信モジュール１１０によって受信された制御コマンドＵＣに従ってＯＳＤモジュール１３０を制御する。
【００１７】
画面１４０は、画像信号ＤＡＴＡ（ウェブサイトの内容など）と、ＯＳＤモジュール１３０によって生成された画像とを表示する。
【００１８】
ネットワークモジュール１５０は、ネットワーク送信／受信を実行する。本実施形態において、ネットワークモジュール１５０は、ウェブサイトの内容などの入力データＩＮを処理することによって、画像データＤＡＴＡを画面１４０に出力する。
【００１９】
図２は、本発明の第１の実施形態に係るカーソル制御のフローチャートを示し、図３〜図６は、本発明の第１の実施形態に係る画面１４０上に表示された画像の動作図を示す。以下の説明は、図１〜図６を参照して行う。
【００２０】
まず、ステップ２１０として、ユーザは、リモートコントローラ上の予め決められた所定の１つのボタン又は複数のボタンの組み合わせを押下し、ディスプレイ装置１００をヒューマンマシンインターフェースに入らせる第１の制御コマンドを送信する。例えば、ユーザは、リモートコントローラを用いて「０」ボタンを３回連続して押下することにより「０００」を入力し、ディスプレイ装置１００をヒューマンマシンインターフェースに入らせることができる。本実施形態では、ヒューマンマシンインターフェースに入ることは、カーソル制御モードに入ることを意味する。
【００２１】
次いで、ステップ２２０として、リモートコントローラによって送信された第１の制御コマンドに応答して、処理モジュール１２０は、画面１４０上に複数の第１階層部分領域を表示するようにＯＳＤモジュール１３０を制御する。
【００２２】
図３は、ヒューマンマシンインターフェースにまだ入っていないディスプレイ装置１００の概略図を示す。ここで、ディスプレイ装置１００の画面１４０は、元の画像３１０である画像信号ＤＡＴＡと、カーソル３２０とを表示する。図４は、元の画像３１０、カーソル３２０、及び９個の第１階層部分領域４１０〜４９０の概略図を示す。
【００２３】
より正確に述べると、処理モジュール１２０は、制御コマンドを受信して解析する。ディスプレイ装置がヒューマンマシンインターフェースに入ることを示す制御コマンドとして第１の制御コマンドを受信したとき、処理モジュール１２０は、画面１４０上に４本のグリッド線４０５（そのうち２本が水平方向を向き、残りの２本が垂直方向を向く）を表示して９個の第１階層部分領域４１０〜４９０を画成するように、ＯＳＤモジュール１３０を制御する。ＯＳＤモジュール１３０はさらに、９個の参照シンボル４０７＿１〜４０７＿９をそれぞれ第１階層部分領域４１０〜４９０の内部に表示する。本実施形態では、参照シンボル４０７＿１〜４０７＿９はそれぞれ、アラビア数字１〜９であってもよく、これらのアラビア数字１〜９は、リモートコントローラ上のアラビア数字ボタン１〜９に対応し、第１階層部分領域４１０〜４９０を表す。例えば、第１階層部分領域４２０の参照シンボル４０７＿２はアラビア数字「２」であり、これは、ユーザがリモートコントローラ上のアラビア数字ボタン２を押下したときに第１階層部分領域４２０が選択されることを意味する。デフォルト状態では、カーソル３２０は第１階層部分領域４５０内に表示される。
【００２４】
また、都合よく識別できるようにするために、グリッド線４０５の表示色は、参照シンボル４０７＿１〜４０７＿９の表示色とは異なっていてもよい。例えば、グリッド線４０５の表示色は赤であってもよく、参照シンボル４０７＿１〜４０７＿９の表示色は黄であってもよい。なお、以上の説明における表示色、第１階層部分領域の個数、参照シンボルの個数は、説明上の例として用いられ、本発明を限定することを意図したものではない。
【００２５】
次いで、ステップ２３０として、アラビア数字ボタン１〜９のうちのいずれかが押下されたか否かが決定される。すなわち、次の制御コマンド（すなわち第２の制御コマンド）が受信されたか否かが決定される。ステップ２３０の結果がＮＯであるとき、本方法はステップ２２０に戻って、次の制御コマンドを待機する。次の制御コマンドが受信されたとき、ステップ２４０が実行される。
【００２６】
ステップ２４０において、ユーザによって押下されたアラビア数字ボタンに応答した目的地に、カーソルが移動される。詳しくは、処理モジュール１２０は、アラビア数字ボタンのうちのどれが押下されたかを解析して、第１階層部分領域４１０〜４９０のうちのどれが所望の領域であるかを識別する。次いで、カーソルは、第１階層部分領域４１０〜４９０のうちの選択された第１階層部分領域の内部に移動される。
【００２７】
次いで、ステップ２５０として、ＯＳＤモジュール１３０は、処理モジュール１２０の制御下で、第１階層部分領域４１０〜４９０のうちの１つの内部に、複数の第２階層部分領域を表示する。詳しくは、処理モジュール１２０は、押下されたアラビア数字ボタンに従って、対応する第１階層部分領域の内部に９個の第２階層部分領域を表示するように、ＯＳＤモジュール１３０を制御する。
【００２８】
図５を参照して、ステップ２４０及び２５０について説明する。図５は、画面１４０上に９個の第２階層部分領域を表示している概略図を示す。アラビア数字ボタン「８」を押下する場合を例にとる。アラビア数字ボタン「８」が押下されたとき、カーソル３２０は所望の第１階層部分領域４８０に移動され、第１階層部分領域４８０の内部には、第２階層部分領域５１０〜５９０がさらに表示される。また、都合よく識別できるようにするために、ＯＳＤモジュール１３０は、第１階層部分領域４８０の内部に、グリッド線５０５（水平方向と垂直方向）と、参照シンボル５０７＿１〜５０７＿９とをさらに表示し、カーソル３２０は、デフォルト設定として、第２階層部分領域５５０の内部に位置するように設定される。つまり、ユーザはアラビア数字ボタン「８」を押下するだけでよく、カーソル３２０は、対応する位置（第１階層部分領域４８０）に移動される。さらに、ＯＳＤモジュール１３０は、ユーザの次の命令に対する準備のために、選択された部分領域を分割する。
【００２９】
本実施形態において、より正確な位置を画成するために、第２階層部分領域５１０〜５９０のうちの１つを選択して分割することができる。例えば、画面１４０が第２階層部分領域５１０〜５９０を表示している間に、カーソル３２０は、アラビア数字ボタン「７」が押下されたときに第２階層部分領域５７０に移動され、これにより、図６に示すように、第２階層部分領域５７０の内部に、第３階層部分領域６１０〜６９０と、グリッド線６０５（水平方向と垂直方向）と、参照シンボル６０７＿１〜６０７＿９とが表示される。
【００３０】
さらに、カーソルが所望の目的地に移動したとき、ユーザは、リモートコントローラ上の他のボタン（アラビア数字ボタン「０」など）を押下して、カーソルが位置した場所の対象物を選択するカーソルヒッティングイベントを生成することができる。すなわち、この時点において、リモートコントローラ上のアラビア数字ボタン「０」を押下することは、マウス上の左ボタンをクリックすることと等価である。
【００３１】
なお、本発明の第１の実施形態は、３つの階層の部分領域を表示することのみに限定されるものではない。上述のステップを繰り返すことにより、本発明の第１の実施形態は、ずっと小さな領域でもさらに多くの部分領域を表示するために、画面上に３つよりも多くの階層の部分領域を表示することができ、これにより、より都合のよいことには、カーソルを所望の位置（部分領域）により良好な操作精度で移動できるようになる。
【００３２】
以下、ディスプレイ装置が外部ホストに接続されている本発明の第２の実施形態について議論する。図７は、本発明の第２の実施形態に係るディスプレイ装置の機能ブロック図を開示する。本発明の第２の実施形態では、テレビジョンなどのディスプレイ装置７００は、インターネットに接続することができず、パーソナルコンピュータなどの外部ホスト７８０によって送信された画像信号ＤＡＴＡ、例えばウェブサイトの内容を受信する必要がある。
【００３３】
図７に示すように、本発明の第２の実施形態に係るディスプレイ装置７００は、コマンド受信モジュール７１０、処理モジュール７２０、ＯＳＤモジュール７３０、画面７４０、イベント生成モジュール７６０、及び入力／出力（Ｉ／Ｏ）インターフェース７７０を備える。コマンド受信モジュール７１０、処理モジュール７２０、ＯＳＤモジュール７３０、及び画面７４０は、第１の実施形態におけるコマンド受信モジュール１１０、処理モジュール１２０、ＯＳＤモジュール１３０、及び画面１４０と同じ又は同様であってよく、従って、本明細書においてこれらについての詳細な説明は省略する。
【００３４】
イベント生成モジュール７６０は、ユーザによってトリガーされた制御コマンドに従ってカーソル移動イベント及びカーソルヒッティングイベントを生成し、次いで、Ｉ／Ｏインターフェース７７０を介して外部ホスト７８０に通知する。詳しくは、コマンド受信モジュール７１０から受信された制御コマンドＵＣを処理モジュール７２０が解析した後で、制御コマンドＵＣがカーソル移動又はカーソルヒットを表すのであれば、処理モジュール７２０は、移動制御信号及びヒッティング制御信号をそれぞれ用いて、カーソル移動イベント又はカーソルヒッティングイベントを生成するようにイベント生成モジュール７６０に通知し、次いで、カーソル移動イベント及びカーソルヒッティングイベントは、Ｉ／Ｏインターフェース７７０を介して外部ホスト７８０に送信される。
【００３５】
ユーザがカーソルを移動させることを希望したとき、すなわち、アラビア数字ボタン「１」〜「９」のうちのいずれか押下されたとき、イベント生成モジュール７６０は、これに応答してカーソル移動イベントを生成し、外部ホスト７８０に通知する必要がある。
【００３６】
しかしながら、外部ホスト７８０からディスプレイ装置７００に出力された画像信号ＤＡＴＡの解像度が、画面７４０の解像度とは異なっている可能性がある。ここでは、画面７４０の解像度が１９２０×１０８０であり、画像信号ＤＡＴＡの解像度が８００×６００であることを仮定する。このような条件下では、イベント生成モジュール７６０は、ディスプレイ装置７００の画面７４０の解像度と画像信号ＤＡＴＡの解像度とに従って、選択された部分領域に係る第１の座標（ｘ１，ｙ１）から、画像信号に対応する第２の座標（ｘ２，ｙ２）を生成する座標変換を実行する必要がある。
【００３７】
上述した実施形態の説明によれば、選択される部分領域は、第１階層部分領域から第２階層部分領域までのうちの任意の部分領域であることが可能である。より具体的には、図５を例にとると、アラビア数字ボタン「８」が押下されていて、さらに、第１の座標（ｘ１，ｙ１）は、選択された部分領域、例えば第２階層部分領域５５０の中央の位置にあるので、カーソルは、第２階層部分領域５５０の中央の位置に示されている。さらに、第２の座標（ｘ２，ｙ２）は、イベント生成モジュール７６０から、例えばルックアップテーブル又は内部計算を用いて得られる。
【００３８】
第１の座標（ｘ１，ｙ１）と第２の座標（ｘ２，ｙ２）との間の関係は、以下の通りである。
【００３９】
［数１］
ｘ２／ｘ１＝８００／１９２０
［数２］
ｙ２／ｙ１＝６００／１０８０
【００４０】
従って、ディスプレイ装置７００がヒューマンマシンインターフェースに入ったとき、外部ホスト７８０は、画像信号ＤＡＴＡの解像度についてイベント生成モジュール７６０に通知する。一方、ディスプレイ装置７００は、画像信号ＤＡＴＡを直接に解析して、画像信号ＤＡＴＡの解像度を取得することができる。イベント生成モジュール７６０は、第２の座標をカーソル移動イベントの通知情報に包含させ、外部ホスト７８０に通知する。
【００４１】
ユーザの制御コマンドがカーソルヒットであるとき、イベント生成モジュール７６０は、これに応答してカーソルヒッティングイベントを生成し、外部ホスト７８０に通知する必要がある。例えば、上述の実施形態において、アラビア数字ボタン「０」が押下されたとき、これはカーソルヒッティングイベントとみなされ、イベント生成モジュール７６０は、これに応じてカーソルヒッティングイベントを生成し、このカーソルヒッティングイベントを外部ホスト７８０に通知する必要がある。
【００４２】
さらに、Ｉ／Ｏインターフェース７７０は、外部ホスト７８０によって送信された画像信号ＤＡＴＡを受信し、この画像信号ＤＡＴＡは画面７４０上に表示される。さらに、Ｉ／Ｏインターフェース７７０は、イベント生成モジュール７６０によって生成されたカーソル移動イベント及びカーソルヒッティングイベントを外部ホスト７８０に送信し、これにより、対応する動作を実行させる。
【００４３】
第２の実施形態において、カーソル移動／ヒットの動作は、第１の実施形態におけるものと同じ又は同様であり、よって、本明細書においてその詳細な説明は繰り返さない。
【００４４】
本発明の上述の実施形態により開示されたカーソル移動方法及びそれを用いたディスプレイ装置によれば、ユーザが、インターネットに接続するためにテレビジョンなどのディスプレイ装置を使用するとき、リモートコントローラ上の対応するアラビア数字ボタンを押下することにより、カーソルの移動／ヒットを容易に達成することができ、その操作は非常に簡単でありかつ直観的である。よって、このような操作は、テレビジョンを制御するためにリモートコントローラを用いるという人々の長年の習慣に合致したものである。さらにその上、本発明のカーソル移動方法は、普通のテレビジョンのリモートコントローラに適用可能であり、従って、余分な無線マウスを購入する必要はなく、余分なコストを強いられることはない。
【００４５】
現時点で最も実用的でありかつ好ましい実施形態と考えられるものに関して本発明が説明されたが、本発明は上述の実施形態に限定される必要がないということは理解されるべきである。逆に、添付の特許請求の範囲の精神及び範囲内に含まれるさまざまな変形及び同様の構成をカバーすることが意図される。特許請求の範囲は、このような変形及び同様の構成を包含するように、最も広い解釈に適合するべきである。
【図１】
2012014516.tif 000003
【図２】
2012014516.tif 000004
【図３】
2012014516.tif 000005
【図４】
2012014516.tif 000006
【図５】
2012014516.tif 000007
【図６】
2012014516.tif 000008
【図７】
2012014516.tif 000009
【外国語明細書】
2012014516.tif 000010
2012014516.tif 000011
2012014516.tif 000012
2012014516.tif 000013
2012014516.tif 000014
2012014516.tif 000015
2012014516.tif 000016
2012014516.tif 000017
2012014516.tif 000018
2012014516.tif 000019
2012014516.tif 000020
2012014516.tif 000021
2012014516.tif 000022
2012014516.tif 000023
2012014516.tif 000024
2012014516.tif 000025
2012014516.tif 000026
2012014516.tif 000027
2012014516.tif 000028
2012014516.tif 000029
2012014516.tif 000030
2012014516.tif 000031
2012014516.tif 000032
2012014516.tif 000033
2012014516.tif 000034